【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
共有無線周波数スペクトル帯域の共有チャネルへのアクセスを求めて競合することと、ここにおいて、前記共有チャネルが、いくつかの第１のコンポーネントキャリア（ＣＣ）ウィンドウといくつかの第２のＣＣウィンドウとを備え、各第１のＣＣウィンドウが拡張ＣＣ（ｅＣＣ）を含み、各第２のＣＣウィンドウがいくつかの非ｅＣＣを含む、
前記共有チャネル中で第１のコンポーネントキャリア（ＣＣ）通信ウィンドウと第２のＣＣ通信ウィンドウとを時分割多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を備える、方法。
【請求項２】
前記時分割多重化することが、リッスンビフォアトーク（ＬＢＴ）フレームレベルにおいて行われる、請求項１に記載の方法。
【請求項３】
リッスンビフォアトーク（ＬＢＴ）フレームの制御チャネル中で前記第１のＣＣ通信ウィンドウと前記第２のＣＣ通信ウィンドウとの間の区分をシグナリングすること
をさらに備える、請求項１に記載の方法。
【請求項４】
第１のＣＣ通信のためのリソースの第１の許可を第１のＣＣ対応ユーザ機器（ＵＥ）に送信することと、
第２のＣＣ通信のためのリソースの第２の許可を第２のＣＣ対応ＵＥに送信することと
をさらに備える、請求項１に記載の方法。
【請求項５】
前記共有チャネルへのアクセスを求めて競合することが、いくつかのリッスンビフォアトーク（ＬＢＴ）フレームの各々について行われ、ここにおいて、第１のＬＢＴフレームの間前記共有チャネルへのアクセスに勝つ、請求項１に記載の方法。
【請求項６】
前記第１のＬＢＴフレームが第１のＣＣ  ＬＢＴフレームを備え、前記方法が、
前記第１のＣＣ  ＬＢＴフレーム中で、第２のＣＣプリアンブルと、第１のＣＣプリアンブルと、第１のＣＣ制御／データ部分とを送信することと、
前記第２のＣＣプリアンブル中でＷｉ−Ｆｉプリアンブルを送信することと
をさらに備える、請求項５に記載の方法。
【請求項７】
前記第１のＬＢＴフレームが第１のＣＣ  ＬＢＴフレームを備え、前記方法が、
前記第１のＣＣ  ＬＢＴフレーム中で、第１のＣＣプリアンブルなしに、第２のＣＣプリアンブルと第１のＣＣ制御／データ部分とを送信することと、
前記第２のＣＣプリアンブル中でＷｉ−Ｆｉプリアンブルを送信することと
をさらに備える、請求項５に記載の方法。
【請求項８】
前記第１のＬＢＴフレーム中に第２のＣＣプリアンブルを送信することと、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信することと、ここにおいて、前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、
をさらに備える、請求項５に記載の方法。
【請求項９】
前記第１のＬＢＴフレームが第１のＣＣ  ＬＢＴフレームを備え、前記方法が、
前記第１のＣＣ  ＬＢＴフレーム中で、第１のＣＣプリアンブルと第１のＣＣ制御／データ部分とを送信することと、
前記第１のＣＣプリアンブル中でＷｉ−Ｆｉプリアンブルを送信することと
をさらに備える、請求項５に記載の方法。
【請求項１０】
複数の発見時間期間の各々中で第２のＣＣ発見基準信号（ＤＲＳ）をブロードキャストすること
をさらに備える、請求項１に記載の方法。
【請求項１１】
前記第２のＣＣ  ＤＲＳ中で第１のＣＣ通信のサポートのインジケーションをブロードキャストすること
をさらに備える、請求項１０に記載の方法。
【請求項１２】
ＵＥから第２のＣＣ接続要求を受信することと、
前記ＵＥとの第２のＣＣ接続を確立することと、
前記ＵＥが第１のＣＣ対応であるというインジケーションを受信することと、
前記ＵＥが第１のＣＣ対応であるという前記インジケーションを受信した後に前記ＵＥとの第１のＣＣ接続を構成することと
をさらに備える、請求項１に記載の方法。
【請求項１３】
複数の発見時間期間の各々中で第１のＣＣ発見基準信号（ＤＲＳ）と第２のＣＣ  ＤＲＳとをブロードキャストすること、あるいは
複数の第１のＣＣ発見時間期間の各々中で第１のＣＣ発見基準信号（ＤＲＳ）をブロードキャストすることと、
複数の第２のＣＣ発見時間期間の各々中で第２のＣＣ  ＤＲＳをブロードキャストすること、あるいは
複数の発見時間期間の各々中で第１のＣＣ発見基準信号（ＤＲＳ）または第２のＣＣ  ＤＲＳをブロードキャストすること
をさらに備える、請求項１に記載の方法。
【請求項１４】
基地局におけるワイヤレス通信のための装置であって、
共有無線周波数スペクトル帯域の共有チャネルへのアクセスを求めて競合するための手段と、ここにおいて、前記共有チャネルが、いくつかの第１のコンポーネントキャリア（ＣＣ）ウィンドウといくつかの第２のＣＣウィンドウとを備え、各第１のＣＣウィンドウが拡張ＣＣ（ｅＣＣ）を含み、各第２のＣＣウィンドウがいくつかの非ｅＣＣを含む、
前記共有チャネル中で第１のコンポーネントキャリア（ＣＣ）通信ウィンドウと第２のＣＣ通信ウィンドウとを時分割多重化するための手段と、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を備える、装置。
【請求項１５】
ワイヤレス通信のためのコンピュータ実行可能コードを記憶する非一時的コンピュータ可読媒体であって、前記コードは、
共有無線周波数スペクトル帯域の共有チャネルへのアクセスを求めて競合することと、ここにおいて、前記共有チャネルが、いくつかの第１のコンポーネントキャリア（ＣＣ）ウィンドウといくつかの第２のＣＣウィンドウとを備え、各第１のＣＣウィンドウが拡張ＣＣ（ｅＣＣ）を含み、各第２のＣＣウィンドウがいくつかの非ｅＣＣを含む、
前記共有チャネル中で第１のコンポーネントキャリア（ＣＣ）通信ウィンドウと第２のＣＣ通信ウィンドウとを時分割多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を行うためにプロセッサによって実行可能である、非一時的コンピュータ可読媒体。
【手続補正２】
【補正対象書類名】明細書
【補正対象項目名】０２０６
【補正方法】変更
【補正の内容】
【０２０６】
[0229]  本開示についての以上の説明は、当業者が本開示を作成または使用できるように与えられた。本開示への様々な変更は当業者には容易に明らかになり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。従って、本開示は、本明細書で説明された例および設計に限定されるべきでなく、本明細書で開示された原理および新規の特徴に合致する最も広い範囲を与えられるべきである。
以下に本願発明の当初の特許請求の範囲に記載された発明を付記する。
［Ｃ１］
基地局におけるワイヤレス通信のための方法であって、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を備える、方法。
［Ｃ２］
前記多重化することが、
前記共有チャネル中で前記第１のＣＣ通信ウィンドウと前記第２のＣＣ通信ウィンドウとを周波数領域多重化すること
を備える、Ｃ１に記載の方法。
［Ｃ３］
前記多重化することが、
前記共有チャネル中で前記第１のＣＣ通信ウィンドウと前記第２のＣＣ通信ウィンドウとを時分割多重化すること
を備える、Ｃ１に記載の方法。
［Ｃ４］
前記時分割多重化することが、リッスンビフォアトーク（ＬＢＴ）フレームレベルにおいて行われる、Ｃ３に記載の方法。
［Ｃ５］
リッスンビフォアトーク（ＬＢＴ）フレームの制御チャネル中で前記第１のＣＣ通信ウィンドウと前記第２のＣＣ通信ウィンドウとの間の区分をシグナリングすること
をさらに備える、Ｃ３に記載の方法。
［Ｃ６］
第１のＣＣ通信のためのリソースの第１の許可を第１のＣＣ対応ユーザ機器（ＵＥ）に送信すること
をさらに備える、Ｃ３に記載の方法。
［Ｃ７］
第２のＣＣ通信のためのリソースの第２の許可を第２のＣＣ対応ＵＥに送信することをさらに備える、Ｃ６に記載の方法。
［Ｃ８］
前記共有チャネルへのアクセスを求めて競合することが、いくつかのリッスンビフォアトーク（ＬＢＴ）フレームの各々について行われ、ここにおいて、第１のＬＢＴフレームの間前記共有チャネルへのアクセスに勝つ、Ｃ３に記載の方法。
［Ｃ９］
前記第１のＬＢＴフレームが第１のＣＣ  ＬＢＴフレームを備え、前記方法が、
前記第１のＣＣ  ＬＢＴフレーム中で、第２のＣＣプリアンブルと、第１のＣＣプリアンブルと、第１のＣＣ制御／データ部分とを送信すること
をさらに備える、Ｃ８に記載の方法。
［Ｃ１０］
前記第２のＣＣプリアンブル中でＷｉ−Ｆｉプリアンブルを送信すること
をさらに備える、Ｃ９に記載の方法。
［Ｃ１１］
前記第１のＬＢＴフレームが第１のＣＣ  ＬＢＴフレームを備え、前記方法が、
前記第１のＣＣ  ＬＢＴフレーム中で、第１のＣＣプリアンブルなしに、第２のＣＣプリアンブルと第１のＣＣ制御／データ部分とを送信すること
をさらに備える、Ｃ８に記載の方法。
［Ｃ１２］
前記第２のＣＣプリアンブル中でＷｉ−Ｆｉプリアンブルを送信すること
をさらに備える、Ｃ１１に記載の方法。
［Ｃ１３］
前記第１のＬＢＴフレーム中に第２のＣＣプリアンブルを送信することと、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信することと
をさらに備える、Ｃ８に記載の方法。
［Ｃ１４］
前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、Ｃ１３に記載の方法。
［Ｃ１５］
前記第１のＬＢＴフレームが第１のＣＣ  ＬＢＴフレームを備え、前記方法が、
前記第１のＣＣ  ＬＢＴフレーム中で、第１のＣＣプリアンブルと第１のＣＣ制御／データ部分とを送信すること
をさらに備える、Ｃ８に記載の方法。
［Ｃ１６］
前記第１のＣＣプリアンブル中でＷｉ−Ｆｉプリアンブルを送信すること
をさらに備える、Ｃ１５に記載の方法。
［Ｃ１７］
複数の発見時間期間の各々中で第２のＣＣ発見基準信号（ＤＲＳ）をブロードキャストすること
をさらに備える、Ｃ１に記載の方法。
［Ｃ１８］
前記第２のＣＣ  ＤＲＳ中で第１のＣＣ通信のサポートのインジケーションをブロードキャストすること
をさらに備える、Ｃ１７に記載の方法。
［Ｃ１９］
ＵＥから第２のＣＣ接続要求を受信することと、
前記ＵＥとの第２のＣＣ接続を確立することと、
前記ＵＥが第１のＣＣ対応であるというインジケーションを受信することと、
前記ＵＥが第１のＣＣ対応であるという前記インジケーションを受信した後に前記ＵＥとの第１のＣＣ接続を構成することと
をさらに備える、Ｃ１に記載の方法。
［Ｃ２０］
複数の発見時間期間の各々中で第１のＣＣ発見基準信号（ＤＲＳ）と第２のＣＣ  ＤＲＳとをブロードキャストすること
をさらに備える、Ｃ１に記載の方法。
［Ｃ２１］
複数の第１のＣＣ発見時間期間の各々中で第１のＣＣ発見基準信号（ＤＲＳ）をブロードキャストすることと、
複数の第２のＣＣ発見時間期間の各々中で第２のＣＣ  ＤＲＳをブロードキャストすることと
をさらに備える、Ｃ１に記載の方法。
［Ｃ２２］
複数の発見時間期間の各々中で第１のＣＣ発見基準信号（ＤＲＳ）または第２のＣＣ  ＤＲＳをブロードキャストすること
をさらに備える、Ｃ１に記載の方法。
［Ｃ２３］
前記第１のＣＣ通信ウィンドウが少なくとも１つの拡張コンポーネントキャリア（ｅＣＣ）を備え、前記第２のＣＣ通信ウィンドウが少なくとも１つの非ｅＣＣを備える、Ｃ１に記載の方法。
［Ｃ２４］
基地局におけるワイヤレス通信のための装置であって、
共有無線周波数スペクトル帯域の共有チャネルへのアクセスを求めて競合するための手段と、
前記共有チャネル中で第１のコンポーネントキャリア（ＣＣ）通信ウィンドウと第２のＣＣ通信ウィンドウとを多重化するための手段と、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を備える、装置。
［Ｃ２５］
多重化するための前記手段が、
前記共有チャネル中で前記第１のＣＣ通信ウィンドウと前記第２のＣＣ通信ウィンドウとを周波数領域多重化するための手段
を備える、Ｃ２４に記載の装置。
［Ｃ２６］
多重化するための前記手段が、
前記共有チャネル中で前記第１のＣＣ通信ウィンドウと前記第２のＣＣ通信ウィンドウとを時分割多重化するための手段
を備える、Ｃ２４に記載の装置。
［Ｃ２７］
時分割多重化するための前記手段がリッスンビフォアトーク（ＬＢＴ）フレームレベルにおいて行われる、Ｃ２６に記載の装置。
［Ｃ２８］
リッスンビフォアトーク（ＬＢＴ）フレームの制御チャネル中で前記第１のＣＣ通信ウィンドウと前記第２のＣＣ通信ウィンドウとの間の区分をシグナリングするための手段をさらに備える、Ｃ２６に記載の装置。
［Ｃ２９］
第１のＣＣ通信のためのリソースの第１の許可を第１のＣＣ対応ユーザ機器（ＵＥ）に送信するための手段
をさらに備える、Ｃ２６に記載の装置。
［Ｃ３０］
第２のＣＣ通信のためのリソースの第２の許可を第２のＣＣ対応ＵＥに送信するための手段
をさらに備える、Ｃ２９に記載の装置。
［Ｃ３１］
前記共有チャネルへのアクセスを求めて競合することが、いくつかのリッスンビフォアトーク（ＬＢＴ）フレームの各々について行われ、ここにおいて、第１のＬＢＴフレームの間前記共有チャネルへのアクセスに勝つ、Ｃ２６に記載の装置。
［Ｃ３２］
前記第１のＬＢＴフレームが第１のＣＣ  ＬＢＴフレームを備え、前記装置が、
前記第１のＣＣ  ＬＢＴフレーム中で、第２のＣＣプリアンブルと、第１のＣＣプリアンブルと、第１のＣＣ制御／データ部分とを送信するための手段
をさらに備える、Ｃ３１に記載の装置。
［Ｃ３３］
前記第２のＣＣプリアンブル中でＷｉ−Ｆｉプリアンブルを送信するための手段
をさらに備える、Ｃ３２に記載の装置。
［Ｃ３４］
前記第１のＬＢＴフレームが第１のＣＣ  ＬＢＴフレームを備え、前記装置が、
前記第１のＣＣ  ＬＢＴフレーム中で、第１のＣＣプリアンブルなしに、第２のＣＣプリアンブルと第１のＣＣ制御／データ部分とを送信するための手段
をさらに備える、Ｃ３１に記載の装置。
［Ｃ３５］
前記第２のＣＣプリアンブル中でＷｉ−Ｆｉプリアンブルを送信するための手段
をさらに備える、Ｃ３４に記載の装置。
［Ｃ３６］
前記第１のＬＢＴフレーム中に第２のＣＣプリアンブルを送信するための手段と、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信するための手段と
をさらに備える、Ｃ３１に記載の装置。
［Ｃ３７］
前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、Ｃ３６に記載の装置。
［Ｃ３８］
前記第１のＬＢＴフレームが第１のＣＣ  ＬＢＴフレームを備え、前記装置が、
前記第１のＣＣ  ＬＢＴフレーム中で、第１のＣＣプリアンブルと第１のＣＣ制御／データ部分とを送信するための手段
をさらに備える、Ｃ３１に記載の装置。
［Ｃ３９］
前記第１のＣＣプリアンブル中でＷｉ−Ｆｉプリアンブルを送信するための手段
をさらに備える、Ｃ３８に記載の装置。
［Ｃ４０］
複数の発見時間期間の各々中で第２のＣＣ発見基準信号（ＤＲＳ）をブロードキャストするための手段
をさらに備える、Ｃ２４に記載の装置。
［Ｃ４１］
前記第２のＣＣ  ＤＲＳ中で第１のＣＣ通信のサポートのインジケーションをブロードキャストするための手段
をさらに備える、Ｃ４０に記載の装置。
［Ｃ４２］
ＵＥから第２のＣＣ接続要求を受信するための手段と、
前記ＵＥとの第２のＣＣ接続を確立するための手段と、
前記ＵＥが第１のＣＣ対応であるというインジケーションを受信するための手段と、
前記ＵＥが第１のＣＣ対応であるという前記インジケーションを受信した後に前記ＵＥとの第１のＣＣ接続を構成するための手段と
をさらに備える、Ｃ２４に記載の装置。
［Ｃ４３］
複数の発見時間期間の各々中で第１のＣＣ発見基準信号（ＤＲＳ）と第２のＣＣ  ＤＲＳとをブロードキャストするための手段
をさらに備える、Ｃ２４に記載の装置。
［Ｃ４４］
複数の第１のＣＣ発見時間期間の各々中で第１のＣＣ発見基準信号（ＤＲＳ）をブロードキャストするための手段と、
複数の第２のＣＣ発見時間期間の各々中で第２のＣＣ  ＤＲＳをブロードキャストするための手段と
をさらに備える、Ｃ２４に記載の装置。
［Ｃ４５］
複数の発見時間期間の各々中で第１のＣＣ発見基準信号（ＤＲＳ）または第２のＣＣ  ＤＲＳをブロードキャストするための手段
をさらに備える、Ｃ２４に記載の装置。
［Ｃ４６］
前記第１のＣＣ通信ウィンドウが少なくとも１つの拡張コンポーネントキャリア（ｅＣＣ）を備え、前記第２のＣＣ通信ウィンドウが少なくとも１つの非ｅＣＣを備える、Ｃ２４に記載の装置。
［Ｃ４７］
基地局におけるワイヤレス通信のための装置であって、
プロセッサと、
前記プロセッサと電子通信しているメモリと、
前記メモリに記憶された命令とを備え、前記命令は、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を行うために前記プロセッサによって実行可能である、装置。
［Ｃ４８］
多重化するために前記プロセッサによって実行可能な前記命令が、
前記共有チャネル中で前記第１のＣＣ通信ウィンドウと前記第２のＣＣ通信ウィンドウとを時分割多重化する
ために前記プロセッサによって実行可能な命令を備える、Ｃ４７に記載の装置。
［Ｃ４９］
前記共有チャネルへのアクセスを求めて競合することが、いくつかのリッスンビフォアトーク（ＬＢＴ）フレームの各々について行われ、ここにおいて、第１のＬＢＴフレームの間前記共有チャネルへのアクセスに勝つ、Ｃ４８に記載の装置。
［Ｃ５０］
前記第１のＬＢＴフレームが第１のＣＣ  ＬＢＴフレームを備え、ここにおいて、前記命令が、
前記第１のＣＣ  ＬＢＴフレーム中で、第２のＣＣプリアンブルと、第１のＣＣプリアンブルと、第１のＣＣ制御／データ部分とを送信する
ために前記プロセッサによって実行可能である、Ｃ４９に記載の装置。
［Ｃ５１］
前記第１のＬＢＴフレームが第１のＣＣ  ＬＢＴフレームを備え、ここにおいて、前記命令が、
前記第１のＣＣ  ＬＢＴフレーム中で、第１のＣＣプリアンブルなしに、第２のＣＣプリアンブルと第１のＣＣ制御／データ部分とを送信する
ために前記プロセッサによって実行可能である、Ｃ４９に記載の装置。
［Ｃ５２］
前記命令は、
前記第１のＬＢＴフレーム中に第２のＣＣプリアンブルを送信することと、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信することと
を行うために前記プロセッサによって実行可能である、Ｃ４９に記載の装置。
［Ｃ５３］
前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、Ｃ５２に記載の装置。
［Ｃ５４］
前記第１のＬＢＴフレームが第１のＣＣ  ＬＢＴフレームを備え、ここにおいて、前記命令が、
前記第１のＣＣ  ＬＢＴフレーム中で、第１のＣＣプリアンブルと第１のＣＣ制御／データ部分とを送信する
ために前記プロセッサによって実行可能である、Ｃ４９に記載の装置。
［Ｃ５５］
前記命令は、
ＵＥから第２のＣＣ接続要求を受信することと、
前記ＵＥとの第２のＣＣ接続を確立することと、
前記ＵＥが第１のＣＣ対応であるというインジケーションを受信することと、
前記ＵＥが第１のＣＣ対応であるという前記インジケーションを受信した後に前記ＵＥとの第１のＣＣ接続を構成することと
を行うために前記プロセッサによって実行可能である、Ｃ４７に記載の装置。
［Ｃ５６］
前記第１のＣＣ通信ウィンドウが少なくとも１つの拡張コンポーネントキャリア（ｅＣＣ）を備え、前記第２のＣＣ通信ウィンドウが少なくとも１つの非ｅＣＣを備える、Ｃ４７に記載の装置。
［Ｃ５７］
ワイヤレス通信のためのコンピュータ実行可能コードを記憶する非一時的コンピュータ可読媒体であって、前記コードは、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を行うためにプロセッサによって実行可能である、非一時的コンピュータ可読媒体。
［Ｃ５８］
ユーザ機器（ＵＥ）におけるワイヤレス通信のための方法であって、
第１のコンポーネントキャリア（ＣＣ）リッスンビフォアトーク（ＬＢＴ）フレームについて共有無線周波数スペクトル帯域の共有チャネルを監視することと、
第２のＣＣプリアンブル中で、前記第１のＣＣ  ＬＢＴフレームのインジケーションを受信することと
を備える、方法。
［Ｃ５９］
前記第２のＣＣプリアンブルの制御チャネル中で前記第１のＣＣ  ＬＢＴフレームの前記インジケーションを受信すること
をさらに備える、Ｃ５８に記載の方法。
［Ｃ６０］
前記第１のＣＣ  ＬＢＴフレーム中で第１のＣＣ送信を受信することをさらに備え、前記第１のＣＣ送信が第１のＣＣプリアンブルと第１のＣＣ制御／データ部分とを備える、Ｃ５８に記載の方法。
［Ｃ６１］
前記第１のＣＣ  ＬＢＴフレーム中で第１のＣＣ送信を受信することをさらに備え、前記第１のＣＣ送信が、第１のＣＣプリアンブルなしに送信された第１のＣＣ制御／データ部分を備える、
Ｃ５８に記載の方法。
［Ｃ６２］
前記第２のＣＣプリアンブル中でＷｉ−Ｆｉプリアンブルを受信すること
をさらに備える、Ｃ５８に記載の方法。
［Ｃ６３］
前記第２のＣＣプリアンブルから、前記共有チャネルのためのチャネル推定値を取得すること
をさらに備える、Ｃ５８に記載の方法。
［Ｃ６４］
ユーザ機器（ＵＥ）におけるワイヤレス通信のための装置であって、
第１のコンポーネントキャリア（ＣＣ）リッスンビフォアトーク（ＬＢＴ）フレームについて共有無線周波数スペクトル帯域の共有チャネルを監視するための手段と、
第２のＣＣプリアンブル中で、前記第１のＣＣ  ＬＢＴフレームのインジケーションを受信するための手段と
を備える、装置。
［Ｃ６５］
前記第２のＣＣプリアンブルの制御チャネル中で前記第１のＣＣ  ＬＢＴフレームの前記インジケーションを受信するための手段
をさらに備える、Ｃ６４に記載の装置。
［Ｃ６６］
前記第１のＣＣ  ＬＢＴフレーム中で第１のＣＣ送信を受信するための手段をさらに備え、前記第１のＣＣ送信が第１のＣＣプリアンブルと第１のＣＣ制御／データ部分とを備える、
Ｃ６４に記載の装置。
［Ｃ６７］
前記第１のＣＣ  ＬＢＴフレーム中で第１のＣＣ送信を受信するための手段をさらに備え、前記第１のＣＣ送信が、第１のＣＣプリアンブルなしに送信された第１のＣＣ制御／データ部分を備える、
Ｃ６４に記載の装置。
［Ｃ６８］
前記第２のＣＣプリアンブル中でＷｉ−Ｆｉプリアンブルを受信するための手段
をさらに備える、Ｃ６４に記載の装置。
［Ｃ６９］
前記第２のＣＣプリアンブルから、前記共有チャネルのためのチャネル推定値を取得するための手段
をさらに備える、Ｃ６４に記載の装置。
［Ｃ７０］
ユーザ機器（ＵＥ）におけるワイヤレス通信のための装置であって、
プロセッサと、
前記プロセッサと電子通信しているメモリと、
前記メモリに記憶された命令とを備え、前記命令が、
第１のコンポーネントキャリア（ＣＣ）リッスンビフォアトーク（ＬＢＴ）フレームについて共有無線周波数スペクトル帯域の共有チャネルを監視することと、
第２のＣＣプリアンブル中で、前記第１のＣＣ  ＬＢＴフレームのインジケーションを受信することと
を行うために前記プロセッサによって実行可能である、装置。
［Ｃ７１］
前記命令が、
前記第２のＣＣプリアンブルの制御チャネル中で前記第１のＣＣ  ＬＢＴフレームの前記インジケーションを受信する
ために前記プロセッサによって実行可能である、Ｃ７０に記載の装置。
［Ｃ７２］
前記命令が、
前記第２のＣＣプリアンブルから、前記共有チャネルのためのチャネル推定値を取得する
ために前記プロセッサによって実行可能である、Ｃ７０に記載の装置。
［Ｃ７３］
ワイヤレス通信のためのコンピュータ実行可能コードを記憶する非一時的コンピュータ可読媒体であって、前記コードが、
第１のコンポーネントキャリア（ＣＣ）リッスンビフォアトーク（ＬＢＴ）フレームについて共有無線周波数スペクトル帯域の共有チャネルを監視することと、
第２のＣＣプリアンブル中で、前記第１のＣＣ  ＬＢＴフレームのインジケーションを受信することと
を行うためにプロセッサによって実行可能である、非一時的コンピュータ可読媒体。
［Ｃ７４］
ユーザ機器（ＵＥ）におけるワイヤレス通信のための方法であって、
第２のコンポーネントキャリア（ＣＣ）リッスンビフォアトーク（ＬＢＴ）フレームについて共有無線周波数スペクトル帯域の共有チャネルを監視することと、
第１のＣＣ  ＬＢＴフレームが送信されていることを示す第２のＣＣプリアンブルを受信することと、
前記第１のＣＣ  ＬＢＴフレームの残りの間スリープ状態に入ることと
を備える、方法。
［Ｃ７５］
ユーザ機器（ＵＥ）におけるワイヤレス通信のための装置であって、
第２のコンポーネントキャリア（ＣＣ）リッスンビフォアトーク（ＬＢＴ）フレームについて共有無線周波数スペクトル帯域の共有チャネルを監視するための手段と、
第１のＣＣ  ＬＢＴフレームが送信されていることを示す第２のＣＣプリアンブルを受信するための手段と、
前記第１のＣＣ  ＬＢＴフレームの残りの間スリープ状態に入るための手段と
を備える、装置。
［Ｃ７６］
ユーザ機器（ＵＥ）におけるワイヤレス通信のための装置であって、
プロセッサと、
前記プロセッサと電子通信しているメモリと、
前記メモリに記憶された命令とを備え、前記命令は、
第２のコンポーネントキャリア（ＣＣ）リッスンビフォアトーク（ＬＢＴ）フレームについて共有無線周波数スペクトル帯域の共有チャネルを監視することと、
第１のＣＣ  ＬＢＴフレームが送信されていることを示す第２のＣＣプリアンブルを受信することと、
前記第１のＣＣ  ＬＢＴフレームの残りの間スリープ状態に入ることと
を行うために前記プロセッサによって実行可能である、装置。
［Ｃ７７］
ワイヤレス通信のためのコンピュータ実行可能コードを記憶する非一時的コンピュータ可読媒体であって、前記コードは、
第２のコンポーネントキャリア（ＣＣ）リッスンビフォアトーク（ＬＢＴ）フレームについて共有無線周波数スペクトル帯域の共有チャネルを監視することと、
第１のＣＣ  ＬＢＴフレームが送信されていることを示す第２のＣＣプリアンブルを受信することと、
前記第１のＣＣ  ＬＢＴフレームの残りの間スリープ状態に入ることと
を行うためにプロセッサによって実行可能である、非一時的コンピュータ可読媒体。
［Ｃ７８］
ユーザ機器（ＵＥ）におけるワイヤレス通信のための方法であって、
基地局の第２のコンポーネントキャリア（ＣＣ）セルを捕捉することと、
前記第２のＣＣセルを捕捉することの後に前記基地局が第１のＣＣ通信をサポートすると決定することと、
前記基地局が第１のＣＣ通信をサポートすると決定することに伴って、第１のＣＣ通信を使用して前記基地局と通信することと
を備える、方法。
［Ｃ７９］
前記基地局から第２のＣＣ発見基準信号（ＤＲＳ）を受信することと、
前記第２のＣＣ  ＤＲＳに少なくとも部分的に基づいて前記基地局の前記第２のＣＣセルを捕捉することと
をさらに備える、Ｃ７８に記載の方法。
［Ｃ８０］
前記基地局が第１のＣＣ通信をサポートすると決定することは、
前記第２のＣＣ  ＤＲＳ中で前記基地局が第１のＣＣ通信をサポートするというインジケーションを受信すること
を備える、Ｃ７９に記載の方法。
［Ｃ８１］
前記第２のＣＣ  ＤＲＳを受信する間に第２のＣＣの直交周波数分割多重化（ＯＦＤＭ）ヌメロロジーを使用することと、
第１のＣＣ通信を使用して前記基地局と通信する間に第１のＣＣのＯＦＤＭヌメロロジーを使用することと
をさらに備える、Ｃ７９に記載の方法。
［Ｃ８２］
前記基地局が第１のＣＣ通信をサポートすると決定することが、
前記基地局の前記第２のＣＣセルを捕捉した後に前記基地局から第１のＣＣ構成情報を受信すること
を備える、Ｃ７８に記載の方法。
［Ｃ８３］
前記基地局が第１のＣＣ通信をサポートすると決定することが、
前記基地局から第１のＣＣ発見基準信号（ＤＲＳ）を受信すること
を備え、前記方法が、
前記基地局との第１のＣＣ接続を確立すること
をさらに備える、Ｃ７８に記載の方法。
［Ｃ８４］
ユーザ機器（ＵＥ）におけるワイヤレス通信のための装置であって、
基地局の第２のコンポーネントキャリア（ＣＣ）セルを捕捉するための手段と、
前記第２のＣＣセルを捕捉することの後に前記基地局が第１のＣＣ通信をサポートすると決定するための手段と、
前記基地局が第１のＣＣ通信をサポートすると決定することに伴って、第１のＣＣ通信を使用して前記基地局と通信するための手段と
を備える、装置。
［Ｃ８５］
前記基地局から第２のＣＣ発見基準信号（ＤＲＳ）を受信するための手段と、
前記第２のＣＣ  ＤＲＳに少なくとも部分的に基づいて前記基地局の前記第２のＣＣセルを捕捉するための手段と
をさらに備える、Ｃ８４に記載の装置。
［Ｃ８６］
前記基地局が第１のＣＣ通信をサポートすると決定するための前記手段は、
前記第２のＣＣ  ＤＲＳ中で前記基地局が第１のＣＣ通信をサポートするというインジケーションを受信するための手段
を備える、Ｃ８５に記載の装置。
［Ｃ８７］
前記第２のＣＣ  ＤＲＳを受信する間に第２のＣＣの直交周波数分割多重化（ＯＦＤＭ）ヌメロロジーを使用するための手段と、
第１のＣＣ通信を使用して前記基地局と通信する間に第１のＣＣのＯＦＤＭヌメロロジーを使用するための手段と
をさらに備える、Ｃ８５に記載の装置。
［Ｃ８８］
前記基地局が第１のＣＣ通信をサポートすると決定するための前記手段が、
前記基地局の前記第２のＣＣセルを捕捉した後に前記基地局から第１のＣＣ構成情報を受信するための手段
を備える、Ｃ８４に記載の装置。
［Ｃ８９］
前記基地局が第１のＣＣ通信をサポートすると決定するための前記手段が、
前記基地局から第１のＣＣ発見基準信号（ＤＲＳ）を受信するための手段
を備え、前記装置が、
前記基地局との第１のＣＣ接続を確立するための手段
をさらに備える、Ｃ８４に記載の装置。
［Ｃ９０］
ユーザ機器（ＵＥ）におけるワイヤレス通信のための装置であって、
プロセッサと、
前記プロセッサと電子通信しているメモリと、
前記メモリに記憶された命令とを備え、前記命令は、
基地局の第２のコンポーネントキャリア（ＣＣ）セルを捕捉することと、
前記第２のＣＣセルを捕捉することの後に前記基地局が第１のＣＣ通信をサポートすると決定することと、
前記基地局が第１のＣＣ通信をサポートすると決定することに伴って、第１のＣＣ通信を使用して前記基地局と通信することと
を行うために前記プロセッサによって実行可能である、装置。
［Ｃ９１］
前記命令が、
前記基地局から第２のＣＣ発見基準信号（ＤＲＳ）を受信することと、
前記第２のＣＣ  ＤＲＳに少なくとも部分的に基づいて前記基地局の前記第２のＣＣセルを捕捉することと
を行うために前記プロセッサによって実行可能である、Ｃ９０に記載の装置。
［Ｃ９２］
前記基地局が第１のＣＣ通信をサポートすると決定するために前記プロセッサによって実行可能な前記命令は、
前記第２のＣＣ  ＤＲＳ中で前記基地局が第１のＣＣ通信をサポートするというインジケーションを受信する
ために前記プロセッサによって実行可能である、Ｃ９１に記載の装置。
［Ｃ９３］
前記命令が、
前記第２のＣＣ  ＤＲＳを受信する間に第２のＣＣの直交周波数分割多重化（ＯＦＤＭ）ヌメロロジーを使用することと、
第１のＣＣ通信を使用して前記基地局と通信する間に第１のＣＣのＯＦＤＭヌメロロジーを使用することと
を行うために前記プロセッサによって実行可能である、Ｃ９１に記載の装置。
［Ｃ９４］
ワイヤレス通信のためのコンピュータ実行可能コードを記憶する非一時的コンピュータ可読媒体であって、前記コードは、
基地局の第２のコンポーネントキャリア（ＣＣ）セルを捕捉することと、
前記第２のＣＣセルを捕捉することの後に前記基地局が第１のＣＣ通信をサポートすると決定することと、
前記基地局が第１のＣＣ通信をサポートすると決定することに伴って、第１のＣＣ通信を使用して前記基地局と通信することと
を行うためにプロセッサによって実行可能である、非一時的コンピュータ可読媒体。